(57)【特許請求の範囲】
【請求項１】
１本の長尺のロープを密接状態で略平面状に畳んでなる面状ロープ体を、海水中に設置してその表面に海藻類の種を付着させ、面状ロープ体上でその種が幼体となるまで生育した後、面状ロープ体を元の連続した直線状に展開してほぼ水平状態で海中に係留し、該長尺のロープ上で所要の大きさになるまで育成することを特徴とする海藻類の増殖方法。
【請求項２】
前記面状ロープ体が、長尺のロープを長手方向に交互に折り畳んでなることを特徴とする請求項１に記載の海藻類の増殖方法。
【請求項３】
前記面状ロープ体が、枠体で支持されていることを特徴とする請求項１または２に記載の海藻類の増殖方法。
【請求項４】
前記海藻類の種が、前記面状ロープ体の近くに設置される網袋内の母藻から供給される生殖細胞であることを特徴とする請求項１ないし３のいずれか一項に記載の海藻類の増殖方法。
【請求項５】
前記海藻類が、ホンダワラ科の藻類であることを特徴とする請求項１ないし４のいずれか一項に記載の海藻類の増殖方法。
【発明の詳細な説明】
【技術分野】
【０００１】
本発明は、魚介類の養殖用餌料、化学品原料等の抽出資源、あるいは藻場造成などにも利用可能な各種海藻類の効率的な増殖技術に関する。
【背景技術】
【０００２】
ホンダワラ類やコンブ類などの固着性褐藻類の中には大型化するものが多く、これらの海藻類はアワビ、サザエ、ウニ等の藻食性の水生動物に対してきわめて重要な餌料資源である。それら有用魚介類の種苗生産技術が進展するに伴い、養殖のための餌料海藻類の通年確保が求められ、餌料海藻類に対する増養殖の必要性が急速に高まっている。また、これらの海藻類には化粧品原料や食品添加物として広く利用されているカラギーナン、アルギン酸ソーダが多量に含まれることから、その抽出用資源としての需要も多い。斯かる利用目的とは別に、海藻類本来の役割として沿岸浅海域の藻場がある。藻場は、海藻類が豊富に生育することによって多様な生物相を形成し、魚介類の棲息場や環境保全の場として重要視されているが、近年、その面積が各地で急激に減少し、藻場再生が重要な課題となっている。このような状況から、海藻類の増殖技術に対する関心は高い。
【０００３】
従来のコンブ類の増殖技術としては、ロープ養殖法が一般的である。この養殖方法は、あらかじめ陸上の水槽内で種糸と呼ばれる合成繊維製の細い撚糸に海藻類の幼体を着生させ、この種糸を幹綱と呼ばれる太いロープに添着して海中に水平に張設する「延縄式」や、水平に張設した幹綱から多数本の細い吊り縄を下げてその各々に種糸を添わせる「のれん式」などの方法により、海藻類の幼体を育成するものである（特許文献１〜３参照）。そして、所要の大きさになるまで海中で育成した後、幹綱ごと海上に引き上げて海藻類を採取する。刈り取った海藻類を魚介類養殖の餌料とする場合には、藻体内に含まれるフロロタンニン等の摂食阻害活性物質が低減するまで陰干しを行った後に使用される。
【特許文献１】特許第２５８７６７３号公報
【特許文献２】特開平９−２２４５１０号公報
【特許文献３】特開平７−６３号公報
【０００４】
これに対して、ホンダワラ類の場合には、コンブ類のように遊走子によって基質に着定することがなく、種糸を用いた種苗生産が困難であることにより、秋季に天然の幼体を仮根部ごと採取して増殖用種苗とし、この種苗をロープの間に差し込んで、そのロープを筏などに垂下する方法が従来から行われている。しかしながら、天然の幼体の採取に多大な労力を要することに加え、仮根部ごと採取することによって天然の藻体が枯渇する懸念があることから、天然の幼体に代わる増殖用種苗の生産技術が提案されている。具体的には、ホンダワラ類の幼胚を平板状のコンクリートブロック等の基盤上に着生させて１０ｍｍ程度の幼体まで育成した後、それらの幼体を基盤上から剥離して水槽内に移し、各幼体単独での浮遊状態を維持できるように海水注水およびエアレーションにより水槽内を撹拌しながら培養するものであり、「立体撹拌法」とも称されている（特許文献４）。さらに、沖出し時に固定部位として利用できるＡＢＳ樹脂製の小さな直方体ブロックに種苗を着生させて同様な条件で撹拌を行う改良技術も提案されている（特許文献５）。また、本出願人は、多数本の短尺ロープを並列一体化した状態で海水中に設置してホンダワラ類の幼胚を個々の短尺ロープに着生させ、この集合状態で幼体となるまで育成した後、各短尺ロープを分離して互いに適度な間隔を空けた状態で吊り下げ用のロープを介して海中に吊り下げ、さらに中間育成して移植用の種苗とする方法を提案している（特許文献６）。
【特許文献４】特許第３７６９５３５号公報
【特許文献５】特開２００７−１３５５２３号公報
【特許文献６】特開２００６−４２６８７号公報
【０００５】
これらの従来技術において、コンブ類を養殖する場合は幼体を着生させた種糸をロープに巻き付けるか、あるいはロープの撚り目に挟み込む作業が必要である（特許文献１〜３）。また、立体撹拌法により得られるホンダワラ種苗を用いて養殖を行う場合には、養成した種苗を海域に持ち出し、海中に設置した筒状の漁網に固定して海中で延縄式養殖を実施するか（特許文献４）、ブロックに設けられた貫通孔を利用して一定間隔ごとにロープに取り付け、中層延べ縄方式により海中養殖を行う（特許文献５）。すなわち、本出願人による上記養殖方法も含め、海藻類を大量に養殖する場合には、陸上の水槽内で得た幼体を海中に移動し、移植用の種苗あるいは魚介類の餌料等の利用目的に応じ、適宜大きさになるまでその場所で育成することになる。この場合、いずれの養殖技術においても海藻類の幼体を直接あるいは種糸やブロックなどの担持基体を介して別のロープ等の育成用基材に改めて固定する作業が必要であり、作業性の点で改善の余地があった。
【発明の開示】
【発明が解決しようとする課題】
【０００６】
本発明は、従来技術が有する上記問題点に鑑みなされたもので、餌料や化学原料、さらには藻場の造成または再生において対象区域に導入する移植用の海藻種苗などにも利用可能な海藻類の効率的な増殖方法を提供することをその目的としている。
【課題を解決するための手段】
【０００７】
本発明に係る海藻類の増殖方法では、上記課題を解決するため、１本の長尺のロープを密接状態で略平面状に畳んでなる面状ロープ体を、海水中に設置してその表面に海藻類の種を付着させ、面状ロープ体上でその種が幼体となるまで生育した後、面状ロープ体を元の連続した直線状に展開してほぼ水平状態で海中に係留し、該長尺のロープ上で所要の大きさになるまで育成するという技術手段を採用した。
【０００８】
上記構成において、面状ロープ体は、長尺のロープを長手方向に交互に折り畳むことにより矩形の平板状とすれば、採苗段階で密接状態のロープ上に密集状態で着生した海藻類の幼体を、次の育成段階で互いが競合しないように十分に広いスペースを確保する際には、折り畳まれた密接状態の長尺ロープをそのまま連続した直線状に展開し、長手方向の全長において周囲に十分な空間を確保できる、ほぼ水平状態に保持するだけでよいので、作業性が大きく向上する（請求項２）。
【０００９】
さらに、上記面状ロープ体をパイプ等からなる枠体で全体を支持するようにすれば、面状ロープ体の形状安定性が高まり、しかもその枠体を利用することにより適宜場所での固定が容易であるので、採苗時における胞子や幼胚等の種の着生率を高める上で好都合である（請求項３）。
【００１０】
また、種の着生すなわち採苗方法としては、成熟した母藻を収納した網袋を面状ロープ体の近くに設置し、この母藻から胞子、幼胚等の生殖細胞が供給されるようにしてもよい（請求項４）。この場合には、母藻を藻食性動物による食害から保護する上で有効である。本発明の対象となる海藻類としては、ホンダワラ科の藻類が特に好適である（請求項５）。
【発明の効果】
【００１１】
本発明では、上記のような構成を採用したので、次の効果を得ることができる。
（１）海藻類の着生と育成の基盤となる１本の長尺のロープを、適宜形状に畳んで略平面状の密接状態で海水中に設置して採苗を行うので、種糸を用いることなく海藻胞子等の海藻の種の付着率を高めることができる。そして、幼体が着生した面状の長尺のロープは、育成段階になると、面状の密接状態から元の連続した直線状の分離状態に展開され、そのまま長尺のロープ上で幼体を所要の大きさになるまで育成すればよいから、作業工程が大幅に簡略化され、海藻類の生産効率が向上する。
（２）長尺のロープに胞子等の海藻の種を直接着生させるので、ロープへの着生までの時間が種糸を併用する場合に比べて短縮されるとともに、移植用種苗として用いる場合には、海藻類を担持するロープを適宜形状の固定具で押さえるなどして造成用構造物上に確実に固定することができるから、海藻類の仮根部が早期に構造物表面に付着し、移植後の造成用構造物上での定着率も向上する。
（３）採苗作業において、１本の長尺のロープを面状となるように密接状態にまとめて配列し、その面状ロープ体の上面に対して胞子等の海藻の種を着生させるから、従来のプレートを用いる方法に比べて場所をとらず、スペースを有効に利用することができる。このため、特に陸上の水槽内で採苗を行う場合には好都合である。
（４）面状に配列されることで密接状態にあった１本の長尺のロープを、海藻幼体の成長に伴い、元の連続した直線状に戻して海中に広く展開するので、長手方向の全長に渡って周囲に十分な空間を確保することができ、個体間での光環境の競合が避けられ、適正な密度での育成が可能になる。
（５）育成された海藻類が長尺のロープ上に繁茂しているので、その収穫作業はワカメやコンブで従来から行われている方法をそのまま適用できる。
（６）面状ロープ体を枠体で支持した状態で海水中に設置すれば、面状ロープ体の姿勢が確実に保持されることにより、胞子等の海藻の種がより着生しやすくなる。特に、ホンダワラ科の藻類の場合には、海水中での水平設置が重要であり、そのような状態を確実に保持できるので、幼胚（種）の散布作業におけるロスを低減することができる。
【発明を実施するための最良の形態】
【００１２】
本発明では、コンブやワカメなどの養殖に利用されているロープ（幹綱）を長いままの状態で、海藻類の着生および育成を行う基盤材として使用する。そして、この長尺のロープを長手方向に交互に折り畳むなどして密接状態とし、矩形の平板状の形態になった面状ロープ体を海水中に設置することにより、海藻類の胞子や幼胚等の生殖細胞または特開２００６−１２９８３３号公報等に開示される組織培養による幼芽（本発明ではこれらを総称して海藻類の「種」という。）を、直接的に面状ロープ体の上面側に付着させ、この面状ロープ体上で幼体の段階になるまで生育する。その後、この面状ロープ体の密接状態を開放し、長尺のロープを水平方向に展開し、連続した直線状の設置状態で海中でさらに育成する。なお、採苗作業は陸上の水槽内に限らず、海上の養殖施設もしくは海中において行うことも可能であり、さらに自生している海藻類の近くに面状ロープ体を設置することにより行ってもよい。例えば、ホンダワラ類の場合では、生け簀の中の適宜場所に面状ロープ体を略水平状態に設置し、成熟した流れ藻を内部に投入することにより、その藻体から放出される幼胚を面状ロープ体に付着させるようにすることもできる。また、アラメやカジメなどの場合には、面状ロープ体に対する生殖細胞等の付着性が良いことから、面状ロープ体は必ずしもホンダワラ類の場合のように水平状態に設置しなくともよい。さらに、面状ロープ体の形状は矩形の板状に限らず、例えば１本の長尺ロープを蚊取り線香のように、密接状態の渦巻状に畳んで平面状にしたものも適用可能である。
【００１３】
本発明が対象とする海藻類は、その使用目的に応じて適宜選択されるので、特に種類は限定されない。例えば、魚類の産卵場所などの藻場造成を目的とする場合にはホンダワラ類のような大型海藻が好ましく、またアワビやサザエの養殖に餌料として利用する場合には、アラメ、カジメ、クロメ等のコンブ科海藻が好ましい。ホンダワラ類の場合、従来技術のような垂下方式による育成では、藻体同士が重なり光量不足となりやすい。これに対して、本発明では長尺のロープを水平方向に直線状に展開した状態で育成を行うので、十分な光量を確保することができ、ホンダワラ類の増養殖に特に好適である。なお、面状ロープ体の展開時期、その後の海中での育成期間は、海藻の種類、使用目的、実施海域の環境などに応じて適宜選定すればよい。以下、図面に基づき本発明の実施例について説明するが、もちろんこれらの実施例に限定されるものではない。
【実施例１】
【００１４】
図１は、本発明に係る海藻類の増殖方法の第１実施例を示す概略説明図である。本実施例で使用する増殖装置は、長手方向に一定の間隔をおいて連結される複数の面状ロープ体１と、これら面状ロープ体１の各連結部分の下側に設けられる複数の土のう２と、これら土のう２の上側に取り付けられる成熟したホンダワラ類等の母藻３とで構成され、これらは海底４の所定位置に設置、固定される。
【００１５】
図２は、面状ロープ体１の連結状態を拡大して示す斜視図である。本発明における面状ロープ体１は、採苗段階で海藻類の着生基盤としての役割を果たすものであり、例えばコンブやワカメなどの養殖に利用されているロープ（幹綱）５を長いままの状態（例えば、数十ｍ程度から１００ｍ以上）で長手方向に交互に折り畳んで密接状態とし、全体として矩形の平板状に形成したものである。さらに、面状ロープ体１は後述する枠体６により支持されている。
【００１６】
図３は、面状ロープ体１と一体になって使用される枠体６の平面図である。この枠体６は、ポリ塩化ビニル等の合成樹脂製のパイプ７とＴ字状の継手８の組合せにより全体として矩形の枠状に形成されている。面状ロープ体１は、斯かる枠体６に対して、その片面側に載置された状態で適宜の結束バンド（図示せず）等により枠体６と一体化される。そして、これらの枠体６と一体になった複数の面状ロープ体１は、図２に示すように、枠体６のそれぞれ長辺側に位置するパイプ７の内部に連結用ロープ９を挿入するなどして連結される。なお、それぞれ面状ロープ体１を支持する隣り合う枠体６の長辺側のパイプ７間には、適宜のスペーサー（図示せず）が設けられ、これにより面状ロープ体１間に所定の間隔を保持する。なお、連結状態の面状ロープ体１を土のう２と結合する場合には、斯かるスペーサーまたは連結用ロープ９の部分において適宜の連結具を利用すればよい。
【００１７】
次に、本実施例の作業工程について、海藻種としてホンダワラ類を例にして説明する。図１に示すように、海底４にほぼ水平状態に設置された面状ロープ体１には、その近くに設置した母藻としての成熟状態のホンダワラ３から幼胚３ａが自然落下し、密接状態に配置されている長尺のロープ５の表面に付着して３〜４日程度で着生する。そして所定の期間が経過すると、図４に示すように、面状ロープ体１を構成する連続した長尺のロープ５の表面には、無数のホンダワラの幼体３ｂが出現する。この場合、枠体６の使用により、各面状ロープ体１を海中で安定した水平状態に保持することができる。枠体６を使用する理由は、採苗時において着生基盤が動いたりすると、幼胚等が着生しにくくなるからであり、特にホンダワラ類の場合には水平状態の保持が望まれる。なお、アラメやカジメなどのように遊走子の付着によるものでは、その付着性が良好であることから、このような枠体６は省略してもよい。
【００１８】
図５は、幼体３ｂが着生した面状ロープ体１を展開してさらに育成する場合の概略説明図である。すなわち、面状ロープ体１を枠体６から外して密接状態に折り畳まれたロープ５を元の線状に広げ、海面に近い位置において、直線状に延ばした状態でその両端部分を土のう９と浮子１０を連結する係留用ロープ１１に対して水平状態となるように結合する。このように、ロープ５の周囲に光や流れなどを遮るものが存在しない設置状態で数ヶ月間が経過すると、図６に示すようにホンダワラの幼体３ｂがロープ５上で成長して藻体３ｃとなる。水平に設置されたロープ５を育成基盤として成長するホンダワラの藻体３ｃは、個体間の光環境の競合がほとんどないので、適正な密度での効率的な養成が可能である。なお、対象となる海藻種によっては、ロープ５の設置深度は異なる。
【００１９】
成長したホンダワラの藻体３ｃは、図７に示すように、ワカメやコンブの収穫と同様に、長尺のロープ５を作業船１２の上に設けられたローラー１３に巻回し、作業船１２を移動しながら回収することができる。
【実施例２】
【００２０】
図８は、本発明の第２実施例を示す概略説明図である。なお、前記第１実施例と重複する部分については同一符号で示し、その説明は省略する。この方法では、採苗段階で母藻３が網袋１４の内部に収容される点に特徴があり、その後の育成作業は前記実施例と同様である。この場合、母藻３は網袋１４によって藻食性動物から保護されるので、摂食圧の高い海域での増殖作業に好都合である。
【図面の簡単な説明】
【００２１】
【図１】本発明の第１実施例に係る採苗段階の概略説明図である。
【図２】面状ロープ体の連結状態を拡大した斜視図である。
【図３】面状ロープ体を支持する枠体の平面図である。
【図４】海藻の幼体が着生した面状ロープ体の端部を拡大した平面図である。
【図５】面状ロープ体を展開して海藻の幼体を育成する場合の概略説明図である。
【図６】図５の状態から時間の経過により海藻類の育成が終了した状態を示す概略説明図である。
【図７】海藻類の収穫方法を示す概略説明図である。
【図８】本発明の第２実施例に係る採苗段階の概略説明図である。
【符号の説明】
【００２２】
１…面状ロープ体、２，９…土のう、３…母藻、３ａ…幼胚、３ｂ…幼体、３ｃ…藻体、４…海底、５…ロープ、６…枠体、７…パイプ、８…継手、９…連結用ロープ、１０…浮子、１１…係留用ロープ、１２…作業船、１３…ローラー、１４…網袋
【図１】
0004915946.tif 000002
【図２】
0004915946.tif 000003
【図３】
0004915946.tif 000004
【図４】
0004915946.tif 000005
【図５】
0004915946.tif 000006
【図６】
0004915946.tif 000007
【図７】
0004915946.tif 000008
【図８】
0004915946.tif 000009